(57)【要約】【課題】ＲＣＳがより小さく、高さがより低いこと。【解決手段】扉１と、扉収納装置３とを具備している。扉１は、複数パネルを備えている。複数パネルのうちの隣り合う２つのパネルは、水平方向を軸に回転可能に連結され、扉１は、複数パネルのそれぞれの外側表面が同一平面を形成して当該艦船用格納庫の出入り口を閉鎖し、同一平面は、鉛直方向と非平行であり、扉収納装置３は、当該艦船用格納庫の格納スペースの上方に配置される扉収納スペースに外側表面が水平面を形成するように扉１を収納して出入り口を開放する。このような艦船用格納庫は、ＲＣＳが小さく、扉１がシャッターにより形成されているときより、出入り口の上端から当該艦船用格納庫の屋根２９までの長さが短い。【選択図】図１
2004027739.tif 000002
【特許請求の範囲】
【請求項１】
扉と、
扉収納装置とを具備し、
前記扉は、複数パネルを備え、
前記複数パネルのうちの隣り合う２つのパネルは、水平方向を軸に回転可能に連結され、
前記扉は、前記複数パネルのそれぞれの外側表面が同一平面を形成して当該艦船用格納庫の出入り口を閉鎖し、
前記同一平面は、鉛直方向と非平行であり、
前記扉収納装置は、当該艦船用格納庫の格納スペースの上方に配置される扉収納スペースに前記外側表面が水平面を形成するように前記扉を収納して前記出入り口を開放する
艦船用格納庫。
【請求項２】
請求項１において、
前記扉収納装置は、
前記複数パネルのうちの前記出入り口が閉鎖されたときに最も上に配置される最上位パネルに水平方向を軸に回転可能に連結されるガイドパネルと、
前記外側表面が前記同一平面から前記水平面に配置されるように前記複数パネルを反転させるシャッター反転板と、
前記ガイドパネルと前記複数パネルとを前記水平面と平行に平行移動させるローラとを備える
艦船用格納庫。
【請求項３】
請求項２において、
前記扉収納装置は、
前記収納スペースに回転可能に支持されている軸と、
前記軸の回転運動を前記ガイドパネルの平行移動に変換するブラケットとを更に備える
艦船用格納庫。
【請求項４】
請求項３において、
前記扉収納装置は、
前記軸を回転させるモータを更に備える
艦船用格納庫。
【請求項５】
請求項３または請求項４のいずれかにおいて、
前記扉収納装置は、
前記軸を回転させる手動用チェーンを更に備える
艦船用格納庫。
【請求項６】
請求項１〜請求項５のいずれかに記載の艦船用格納庫
を具備する艦船。
【発明の詳細な説明】
【０００１】
【発明の属する技術分野】
本発明は、艦船用格納庫に関し、特に、艦船に設置される艦船用格納庫に関する。
【０００２】
【従来の技術】
艦船に設置されるヘリコプターの格納庫は、ヘリコプターを格納することができる程度に出入り口が大きく開口されている。さらに、艦船は、甲板を広く利用することが望まれ、その出入り口を開閉する艦船用格納庫扉は、開放されているときに、艦船の甲板に突出しないことが望まれている。
【０００３】
図１０は、公知の艦船用格納庫を示している。その艦船用格納庫１００は、シャッター１０１と、シャフト１０２と、シャッター巻き上げ機１０４とを備えている。シャッター巻き上げ機１０４は、ベルト１０３を介して、シャフト１０２を回転させる。シャフト１０２は、回転することにより、シャッター１０１を巻き上げて出入り口を開放し、または、シャッター１０１を下ろして出入り口を閉鎖する。艦船用格納庫１００は、艦船に設置されているレーダまたは艦橋の視界を遮蔽しないように、高さが低いことが好ましく、開口部の上端から屋根までの長さ１０６が小さいことが望まれている。
【０００４】
シャッター１０１は、出入り口を閉鎖しているときに概ね平面を形成し、その平面の法線は、鉛直方向成分を有し、やや上向きに傾いている。このようなシャッター１０１は、照射される電波を壁面が照射源の方向に反射する確率を示す電波反射面積（Ｒａｄａｒ　Ｃｒｏｓｓ　Ｓｅｃｔｉｏｎ。本明細書中では、以下に「ＲＣＳ」と略記される）を低減し、艦船が他の艦船のレーダにより捕捉され難くしている。
【０００５】
図１１は、シャッター１０１を構成する複数のスラットを詳細に示している。その複数のスラット１１１は、それぞれ水平方向に延び、隣り合う他のスラット１１１と回転可能に連結されている。スラット１１１は、出入り口の左右両側に配置されているガイドレールに沿って、平行移動し、出入り口を開閉する。このようなシャッター１０１は、外側に向いている表面が凹凸しており、その分ＲＣＳが大きい。艦船用格納庫は、レーダにより捕捉され難いように、ＲＣＳがさらに小さいことが望まれている。
【０００６】
【発明が解決しようとする課題】
本発明の課題は、ＲＣＳがより小さい艦船用格納庫を提供することにある。
本発明の他の課題は、ＲＣＳがより小さく、高さがより低い艦船用格納庫を提供することにある。
【０００７】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００８】
本発明による艦船用格納庫は、扉（１）と、扉収納装置（３）とを具備している。扉（１）は、複数パネルを備えている。複数パネルのうちの隣り合う２つのパネルは、水平方向を軸に回転可能に連結され、扉（１）は、複数パネルのそれぞれの外側表面が同一平面を形成して当該艦船用格納庫の出入り口を閉鎖し、同一平面は、鉛直方向と非平行であり、扉収納装置（３）は、当該艦船用格納庫の格納スペースの上方に配置される扉収納スペースに外側表面が水平面を形成するように扉（１）を収納して出入り口を開放する。このような艦船用格納庫は、ＲＣＳが小さく、扉（１）がシャッターにより形成されているときより、出入り口の上端から当該艦船用格納庫の屋根（２９）までの長さが短い。
【０００９】
扉収納装置（３）は、複数パネルのうちの出入り口が閉鎖されたときに最も上に配置される最上位パネルに水平方向を軸に回転可能に連結されるガイドパネルと、外側表面が同一平面から水平面に配置されるように複数パネルを反転させるシャッター反転板と、ガイドパネルと複数パネルとを水平面と平行に平行移動させるローラとを備えていることが好ましい。
【００１０】
扉収納装置（３）は、収納スペースに回転可能に支持されている軸と、軸の回転運動をガイドパネルの平行移動に変換するブラケットとを更に備えていることが好ましい。
【００１１】
扉収納装置（３）は、軸を回転させるモータを更に備えていることが好ましい。
【００１２】
扉収納装置（３）は、軸を回転させる手動用チェーンを更に備えていることが好ましい。
【００１３】
本発明による艦船は、本発明による艦船用格納庫を具備していることが好ましい。
【００１４】
【発明の実施の形態】
図面を参照して、本発明による艦船用格納庫の実施の形態は、扉が扉収納装置とともに設けられている。その扉１は、図１に示されているように、４個のパネル２−１〜２−４から形成されている。パネル２−１は、ヒンジ４を介して隣り合うパネル２−２に折り畳み可能に連結されている。パネル２−２は、ヒンジ４を介して隣り合うパネル２−３に折り畳み可能に連結されている。パネル２−３は、ヒンジ４を介して隣り合うパネル２−４に折り畳み可能に連結されている。扉１は、パネル２−１〜２−４が同一の平面１０上に配置されて本発明による艦船用格納庫の出入り口を閉鎖している。このとき、平面１０は、鉛直方向に平行ではなく、少し上を向いている。すなわち、扉１は、上側が下側より内側に配置されている。このような扉１は、ＲＣＳが小さく好ましい。
【００１５】
その扉収納装置３は、２つの開閉ガイドレール５を備えている。開閉ガイドレール５は、その出入り口の左右両端にそれぞれ設けられ、平面１０上に互いに平行に延びている。パネル２−１は、両端にガイドローラ６を備えている。ガイドローラ６は、開閉ガイドレール５に案内されて走行し、パネル２−１を変位可能に支持されている。
【００１６】
扉収納装置３は、さらに、パネル移動用開閉装置７を備えている。パネル移動用開閉装置７は、電力により駆動する。パネル移動用開閉装置７は、さらに、手動用チェーン８を備えている。手動用チェーン８は、滑車を介して出入り口の傍に延長され、作業者の操作によりパネル移動用開閉装置７に動力を与える。
【００１７】
パネル２−４は、図２に示されているように、ヒンジ１２を介してガイドパネル１１に折り畳み可能に連結されている。扉収納装置３は、シャッター反転板１３をさらに備えている。ガイドパネル１１は、パネル移動用開閉装置７により水平面３０の上を平行移動して、パネル２−１〜２−４をけん引する。このとき、シャッター反転板１３は、パネル２−１〜２−４を表面が平面１０に平行な状態から水平面に平行な状態に変更する。
【００１８】
図３は、パネル移動用開閉装置７を詳細に示している。パネル移動用開閉装置７は、艦船用格納庫の天井２８の上方であり、屋根２９より下方の空間に配置され、モータ２１、シャッター移動用スクリュー軸２２、軸受け２３、チェーンスプロケット２４、ブラケット２５、ガイドレール２６から形成されている。モータ２１、軸受け２３およびガイドレール２６は、艦船用格納庫の屋根２９に固定されている。軸受け２３は、シャッター移動用スクリュー軸２２を艦船用格納庫に対して回転可能に支持している。モータ２１は、電力をシャッター移動用スクリュー軸２２の回転運動に変換する。ガイドレール２６は、ブラケット２５を平行移動可能に支持している。ブラケット２５は、ガイドパネル１１に同体に接合され、電力をシャッター移動用スクリュー軸２２の回転運動をガイドパネル１１の平行移動運動に変換する。チェーンスプロケット２４は、手動用チェーン８に連結され、手動用チェーン８の走行をシャッター移動用スクリュー軸２２の回転運動に変換する。天井２８には、複数のローラ２７が設置されている。ローラ２７は、ガイドパネル１１またはパネル２−１〜２−４を天井２８の上を水平方向に平行移動可能に支持し、扉収納スペース２０を形成している。
【００１９】
図４は、ヒンジ４を詳細に示している。ヒンジ４は、パネル２−ｉ（ｉ＝１，２，３）に対して、パネル２−（ｉ＋１）を回転可能に支持している。パネル２−ｉとパネル２−（ｉ＋１）とは、広げられたときに接触する部分に、弾性体から形成されるパッキン３１が備えられている。このようなパッキン３１は、パッキン３１は、出入り口が閉鎖されているときに、パネル２−ｉとパネル２−（ｉ＋１）との隙間を塞いで、内部を外部から密閉している。パネル２−ｉは、表面に鋼鉄の板３２が備えられ、その板３２に囲まれている内部には、防弾材３３が充填されている。
【００２０】
図５は、パネル２−１〜２−４の他の状態を示している。パネル２−１〜２−４は、ガイドパネル１１によりけん引されると、図５に示されているように、シャッター反転板１３により表面が平面１０に平行な状態から水平面３０に平行な状態に変更される。
【００２１】
図６は、ガイドレール５とガイドローラ６とを詳細に示している。ガイドレール５は、出入り口の上端にまで届いていないで、途中に端３５が設けられている。端３５は、パネル２−１がシャッター反転板１３に接触する前に、ガイドローラ６がガイドレール５から外している。パネル２−１は、ガイドローラ６がガイドレール５から外れた後で、シャッター反転板１３により平面１０に平行な状態から水平面３０に平行な状態に変位される。
【００２２】
図７は、パネル２−１〜２−４のさらに他の状態を示している。パネル２−１〜２−４は、ガイドパネル１１によりさらにけん引されると、図７に示されているように、パネル２−１〜２−４のすべてが水平面３０に平行な状態で扉収納スペースに配置される。このとき、パネル２−１は、艦船用格納庫の内側に配置されていないが、艦船の甲板に突出しなければ邪魔にはならない。
【００２３】
図８は、扉の実施の他の形態を示している。その扉は、ｎ個（ｎ＝２，３，４，…）のパネル２−１〜２−ｎから形成されている。パネル２−ｉ（ｉ＝１，２，３，…，ｎ）は、図示されていないヒンジを介して隣り合うパネル２−（ｉ＋１）に折り畳み可能に連結されている。その扉は、先の実施の形態と同様に、パネル２−１〜２−ｎが同一の平面上に配置されて本発明による艦船用格納庫の出入り口を閉鎖している。このとき、その平面は、鉛直方向に平行ではなく、少し上を向いている。
【００２４】
図９は、パネル２−１〜２−ｎの他の状態を示している。パネル２−１〜２−ｎは、ガイドパネル１１によりけん引されると、シャッター反転板１３により表面が平面１０に平行な状態から水平面３０に平行な状態に変更されて天井裏の扉収納スペースに収納される。パネル２−ｉの長さが短いときに、ガイドレール５の端３５は、高い位置に配置されて好ましい。
【００２５】
本発明による艦船用格納庫の出入り口を開放するには、まず、モータ２１を駆動して、ガイドパネル１１を艦船用格納庫の出入り口の側から奥の側に平行移動させる。電力が使えないときには、手動用チェーン８を駆動してガイドパネル１１を艦船用格納庫の出入り口の側から奥の側に平行移動させる。ガイドパネル１１平行移動するにつれて、パネル２−１〜２−ｎがシャッター反転板１３により水平面３０に平行な状態に変位されて、扉収納スペース２０に収納される。パネル２−１は、ガイドローラ６がガイドレール５の端３５を通過した後で、シャッター反転板１３により水平面３０に平行な状態に変位されて、扉収納スペース２０に収納され、出入り口が開放される。
【００２６】
本発明による艦船用格納庫の出入り口を閉鎖するには、まず、モータ２１を駆動して、ガイドパネル１１を艦船用格納庫の奥の側から出入り口の側に平行移動させる。電力が使えないときには、手動用チェーン８を駆動してガイドパネル１１を艦船用格納庫の奥の側から出入り口の側に平行移動させる。ガイドパネル１１平行移動するにつれて、パネル２−１がシャッター反転板１３により支持されなくなって垂れ下がる。このとき、パネル２−１のガイドローラ６を、ガイドレール５を走行することができるように、ガイドレール５の端３５に沿わせる。この後に、さらに、ガイドパネル１１を艦船用格納庫の奥の側から出入り口の側に平行移動させると、パネル２−１は、ガイドレール５に案内されて、床まで到達し、パネル２−１〜２−ｎが平面１０に重なって配置され、出入り口は閉鎖される。
【００２７】
【発明の効果】
本発明による艦船用格納庫は、ＲＣＳがより小さい。
【図面の簡単な説明】
【図１】図１は、本発明による艦船用格納庫の扉の実施の形態を示す正面図である。
【図２】図２は、パネルの１状態を示す側面図である。
【図３】図３は、パネル移動用開閉装置を示す側面図である。
【図４】図４は、ヒンジを示す断面図である。
【図５】図５は、パネルの他の状態を示す側面図である。
【図６】図６は、ガイドレールとガイドローラとを示す側面図である。
【図７】図７は、パネルのさらに他の状態を示す側面図である。
【図８】図８は、扉の実施の他の形態を示す側面図である。
【図９】図９は、パネルの他の状態を示す側面図である。
【図１０】図１０は、公知の艦船用格納庫の実施の形態を示す断面図である。
【図１１】図１１は、シャッターを示す断面図である。
【符号の説明】
１　：扉
２−１〜２−４：パネル
３　：扉収納装置
４　：ヒンジ
５　：ガイドレール
６　：ガイドローラ
７　：パネル移動用開閉装置
８　：手動用チェーン
１０：平面
１１：ガイドパネル
１２：ヒンジ
１３：シャッター反転板
２０：扉収納スペース
２１：モータ
２２：シャッター移動用スクリュー軸
２３：軸受け
２４：チェーンスプロケット
２５：ブラケット
２６：ガイドレール
２７：ローラ
２８：天井
３０：水平面
３１：パッキン
３２：板
３３：防弾材
３５：端
【図１】
2004027739.tif 000003
【図２】
2004027739.tif 000004
【図３】
2004027739.tif 000005
【図４】
2004027739.tif 000006
【図５】
2004027739.tif 000007
【図６】
2004027739.tif 000008
【図７】
2004027739.tif 000009
【図８】
2004027739.tif 000010
【図９】
2004027739.tif 000011
【図１０】
2004027739.tif 000012
【図１１】
2004027739.tif 000013